(57)【特許請求の範囲】
【請求項１】
導光板と、
前記導光板の入光面の法線方向に配置され、光を反射する反射面を有する反射部材と、
発光素子及び前記発光素子の少なくとも一部を覆い、光の波長を変換する波長変換部材を有する光源と、
を備え、
前記導光板の前記入光面には、前記発光素子から出射され、前記波長変換部材を通って前記反射部材の前記反射面で反射する光が入射し、かつ、前記発光素子から出射され、前記波長変換部材を通る光が直接入射し、
前記反射部材の前記反射面の少なくとも一部が凹の曲面であり、前記凹の曲面が前記導光板の前記入光面に向いており、
前記波長変換部材と前記反射部材の前記反射面とが離れており、
前記光源は、前記発光素子からの光を出射する出射面を有し、
前記導光板の入光面の法線方向から見て、前記光源の一部が前記導光板の前記入光面と重なっており、
前記導光板の入光面の法線方向から見て、前記導光板のうち前記光源と重なっている部分がテーパー形状となっていることを特徴とする面光源装置。
【請求項２】
前記光源の前記出射面の法線方向から見て、前記導光板と前記光源とが離れていることを特徴とする請求項１に記載の面光源装置。
【請求項３】
前記反射部材の前記反射面の法線が、前記光源の前記出射面を含む平面であって前記導光板の前記入光面よりも前記導光板側に延長された領域を通ることを特徴とする請求項２に記載の面光源装置。
【請求項４】
前記光源の前記出射面から出射される光のうち前記導光板の前記入光面に直接入射する光の割合が１０％以上８０％以下であることを特徴とする請求項１から３の何れか一項に記載の面光源装置。
【請求項５】
前記導光板の側面を囲む枠体を備え、
前記反射部材は、前記枠体に設けられていることを特徴とする請求項１から４の何れか
一項に記載の面光源装置。
【請求項６】
請求項１から５の何れか一項に記載の面光源装置と、
前記面光源装置から出射される光を受ける表示パネルと、
を備えることを特徴とする表示装置。
【請求項７】
請求項６に記載の表示装置を備えることを特徴とする電子機器。
【発明の詳細な説明】
【技術分野】
【０００１】
本発明は、面光源装置、表示装置、電子機器、及び光源に関する。
【背景技術】
【０００２】
近年、電子機器に搭載される液晶表示装置には、同一の面積でより大きな表示領域を得るための狭額縁化や、薄型化のニーズがある。表示パネルのバックライトには、例えば、白色光を出射するＬＥＤ（Light Emitting Diode）パッケージを光源とし、導光板（ライトガイドとも呼ばれる）を用いたサイドライトタイプ（エッジライト方式とも呼ばれる）の面光源装置が用いられている。上記の技術に関連して、液晶パネルと、液晶パネルに光を照射するための導光機能を備えたパネル支持体とを有する液晶表示装置が提案されている（特許文献１参照）。
【先行技術文献】
【特許文献】
【０００３】
【特許文献１】特許第４０４５０４５号公報
【発明の概要】
【発明が解決しようとする課題】
【０００４】
面光源装置の狭額縁化のニーズが大きくなっている。このような状況に鑑み、本発明は、面光源装置の狭額縁化を促進する技術を提供することを目的とする。
【課題を解決するための手段】
【０００５】
本発明では、上記課題を解決するために、以下の手段を採用した。すなわち、本発明は、導光板と、前記導光板の入光面の法線方向に配置され、光を反射する反射面を有する反射部材と、発光素子と、前記発光素子の少なくとも一部を覆い、光の波長を変換する波長変換部材と、を備え、前記導光板の前記入光面には、前記発光素子から出射され、前記波長変換部材を通って前記反射部材の前記反射面で反射する光が入射し、かつ、前記発光素子から出射され、前記波長変換部材を通る光が直接入射し、前記反射部材の前記反射面の少なくとも一部が凹の曲面であり、前記凹の曲面が前記導光板の前記入光面に向いていることを特徴とする面光源装置である。
【０００６】
本発明による面光源装置によれば、光を反射する反射部材を、導光板の入光面の法線方向に配置する。導光板の前記入光面には、発光素子から出射され、波長変換部材を通って反射部材の反射面で反射する光が入射し、かつ、発光素子から出射され、波長変換部材を通る光が直接入射する。そのため、導光板と発光素子とをＬ字型に配置することができるため、面光源装置の挟額縁化を促進することができる。
【０００７】
また、本発明に係る面光源装置は、前記発光素子及び前記波長変換部材で光源が構成され、前記波長変換部材と前記反射部材の前記反射面とが離れており、前記光源は、前記発光素子からの光を出射する出射面を有し、前記光源の前記出射面の法線方向から見て、前記導光板と前記光源とが離れていることを特徴とする。本発明による面光源装置によれば、導光板と光源とが離れているため、外部から面光源装置に荷重がかかった際に光源の位置ずれが発生し、導光板と光源とが近づいても、導光板の下面と光源の出射面とが光源の出射面の法線方向から見て重なることを抑止できる。
【０００８】
また、本発明に係る面光源装置は、前記発光素子及び前記波長変換部材を有する光源を備え、前記波長変換部材と前記反射部材の前記反射面とが離れており、前記光源は、前記
発光素子からの光を出射する出射面を有し、前記導光板の入光面の法線方向から見て、前記光源の一部が前記導光板の前記入光面と重なっていることを特徴とする。本発明による面光源装置によれば、光源の一部が導光板の入光面と重なっているため、外部から面光源装置に荷重がかかった際に、光源の位置がずれることが抑止され、導光板の下面と光源の出射面とが光源の出射面の法線方向から見て重なることを抑止できる。
【０００９】
また、本発明に係る面光源装置は、前記反射部材の前記反射面の法線が、前記光源の前記出射面を含む平面であって前記導光板の前記入光面よりも前記導光板側に延長された領域を通ることを特徴とする。本発明による面光源装置によれば、反射部材の反射面の法線が、光源の出射面を含む平面であって導光板の入光面よりも導光板側に延長された領域を通るため、光源から出射されて反射部材の反射面で反射する光は、導光板の入光面に到達し、光源から出射される光の利用効率を高い状態に維持することができ、導光板から出射される光の輝度を高い状態に保つことができる。
【００１０】
また、本発明に係る面光源装置は、前記光源の前記出射面から出射される光のうち前記導光板の前記入光面に直接入射する光の割合が１０％以上８０％以下であることを特徴とする。また、本発明に係る面光源装置は、前記導光板の側面を囲む枠体を備え、前記反射部材は、前記枠体に設けられていることを特徴とする。本発明による面光源装置によれば、導光板の側面を囲む枠体に反射部材を設けているため、面光源装置の挟額縁化を促進することができる。
【００１１】
また、本発明に係る面光源装置は、前記反射部材、前記発光素子及び前記波長変換部材を有する光源を備え、前記波長変換部材と前記反射部材の前記反射面とが接触し、前記光源は、前記導光板の前記入光面と対向し、前記発光素子からの光を出射する出射面を有することを特徴とする。本発明による面光源装置によれば、波長変換部材と反射部材の反射面とが接触しているため、反射部材の反射面が空気に触れることが抑止されるので、反射部材の反射面の表面酸化を抑止できる。
【００１２】
また、本発明に係る表示装置は、本発明に係る面光源装置と、前記面光源装置から出射される光を受ける表示パネルとを備える。このような表示装置は、本発明に係る導光板を用いた面光源装置を備えるため、挟額縁化が促進された面光源装置を備えた表示装置を提供することができる。また、本発明に係る電子機器は、本発明に係る表示装置を備える。このような電子機器は、本発明に係る導光板を用いた面光源装置を有する表示装置を備えるため、挟額縁化が促進された面光源装置を有する表示装置を備えた電子機器を提供することができる。
【００１３】
また、本発明に係る光源は、発光素子と、前記発光素子の少なくとも一部を覆い、光の波長を変換する波長変換部材と、前記発光素子からの光を出射する出射面と、前記発光素子からの光を反射する反射面を有する反射部材と、を備え、前記波長変換部材と前記反射部材の前記反射面とが接触し、前記発光素子から出射されて前記波長変換部材を通って前記反射部材の反射面で反射する光が前記出射面から出射されるとともに、前記発光素子から出射されて前記波長変換部材を通る光が前記出射面から直接出射され、前記反射部材の前記反射面の少なくとも一部が凹の曲面であり、前記凹の曲面が前記出射面に向いていることを特徴とする。本発明による光源によれば、発光素子から出射されて波長変換部材を通って反射部材の反射面で反射する光が出射面から出射されるとともに、発光素子から出射されて波長変換部材を通る光が出射面から直接出射される。そのため、導光板と光源とをＬ字型に配置することができるため、面光源装置の挟額縁化を促進することができる。
【発明の効果】
【００１４】
本発明によれば、面光源装置の狭額縁化を促進することができる。
【図面の簡単な説明】
【００１５】
【図１】図１は、実施形態１に係る液晶表示装置の構成を例示する斜視図である。
【図２】図２は、実施形態１に係る面光源装置の構成を例示する斜視図である。
【図３】図３は、実施形態１に係る面光源装置の断面図である。
【図４】図４は、実施形態１に係る面光源装置の断面図である。
【図５】図５は、実施形態１に係る面光源装置の断面図である。
【図６】図６は、実施形態１に係る面光源装置の断面図である。
【図７】図７は、実施形態１に係る面光源装置の断面図である。
【図８】図８は、実施形態１に係る面光源装置の断面図である。
【図９】図９は、実施形態１に係る面光源装置と、導光板及び光源を直線上に配置する場合の面光源装置との比較図である。
【図１０】図１０は、実施形態１に係る面光源装置１の説明図である。
【図１１】図１１は、実施形態１に係る面光源装置１の説明図である。
【図１２】図１２は、実施形態１に係る面光源装置１の説明図である。
【図１３】図１３は、実施形態２に係る面光源装置の断面図である。
【図１４】図１４は、実施形態２に係る光源１３の斜視図である。
【図１５】図１５は、面光源装置の相対輝度効率を示すグラフである。
【発明を実施するための形態】
【００１６】
以下、本発明の実施の形態を、図面に基づいて説明する。なお、以下に説明する実施の形態は、本発明を実施する一例を示すものであって、本発明を以下に説明する具体的な構成に限定するものではない。
【００１７】
以下の実施形態では、「表示装置」は、液晶表示装置として説明され、「面光源装置」は、液晶表示装置のバックライトとして説明される。なお、「面光源装置」は、表示パネルや電子ペーパによる表示装置の前面に配置されるフロントライト等、バックライト以外の用途で利用されてもよい。
【００１８】
〔実施形態１〕
図１〜図１２を参照して、実施形態１に係る液晶表示装置について説明する。
（液晶表示装置の構成）
図１は、実施形態１に係る液晶表示装置の構成を例示する斜視図である。図１に示すように、液晶表示装置は、バックライトとして配置される面光源装置１と、面光源装置１から出射される光を受ける表示パネル２とを備える。表示パネル２は、ガラス板に挟まれて封入された液晶に電圧をかけて光の透過率を増減等させることで、像を表示する。以下、面光源装置１における、表示パネル２側を上面側として、その反対面側を下面側として説明することがある。
【００１９】
（面光源装置１の構成）
図２は、実施形態１に係る面光源装置１の構成を例示する斜視図である。面光源装置１は、導光板１０、反射シート１１、フレーム１２、光源１３、フレキシブル基板（以下、「ＦＰＣ」とも表記する）１４、拡散シート１５、プリズムシート１６及び遮光両面テープ１７を備える。
【００２０】
導光板１０は、概略平板状であり、ポリカーボネート樹脂やポリメチルメタクリレート樹脂等の透光性の素材で成形される。導光板１０の上面は、光が出射する出光面である。導光板１０の上面は、液晶パネル２と向かい合う面である。導光板１０は、導光板１０内に入射された光を出光面に導き、出光面全体が均一に光るようにしたものである。
【００２１】
反射シート１１は、多層膜構造を有する高反射フィルムまたは反射率の高い白色樹脂シートや金属箔などからなる平滑なシートであり、導光板１０内の光が面光源装置１の下面から漏れないように光を反射する。フレーム１２は、開口を有し、４辺からなる枠状の部材（「枠体」の一例）である。フレーム１２は、酸化チタンを含有したポリカーボネート樹脂又は酸化チタンを含有しないポリカーボネート樹脂等により成形される。フレーム１２には、導光板１０が嵌め込まれ、フレーム１２の内周面が導光板１０の外周面を形成する側面を囲う。フレーム１２は、高い反射率を有しており、導光板１０の側面から漏れた光を反射して再利用する。
【００２２】
光源１３は、白色光を出射面から出射する。光源１３は、例えば、ＬＥＤパッケージであるが、ＬＥＤパッケージ以外の光源が用いられてもよい。光源１３は、発光素子であるＬＥＤチップが蛍光体を含む透光性樹脂（樹脂層）で封止されて形成されている。光源１３は、ＦＰＣ１４からの給電を受けて駆動される。なお、光源１３として、白色以外のＬＥＤ光源が用いられてもよい。光源１３は、フレーム１２の下方に配置されている。ＦＰＣ１４は、可撓性のある絶縁性フィルムである基材上に、導体箔によって配線を設け、表面に保護用の絶縁性フィルムであるカバーレイを接着させて構成される配線基板である。
【００２３】
拡散シート１５は、半透明な樹脂フィルムであり、導光板１０の出光面から発せられた光を拡散させて光の指向特性を広げる。プリズムシート１６は、上面に三角プリズム状の微細なパターンが形成された透明な樹脂フィルムあり、拡散シート１５によって拡散された光を集光し、面光源装置１を上面側から見た場合の輝度を上昇させる。拡散シート１５と１枚又は２枚のプリズムシート１６とが、導光板１０上に設置される。
【００２４】
遮光両面テープ１７は、上下両面が粘着面となった黒色の粘着テープである。遮光両面テープ１７は、面光源装置１を上面側から見て、枠形状になっている。枠形状は、閉ループ形状であればよく、例えば、矩形形状、略楕円形状であってもよいし、これら以外の他の形状であってもよい。遮光両面テープ１７の枠部分が、フレーム１２の上端に沿って接着されており、面光源装置１から光が漏れ出ることを抑制する。
【００２５】
図３は、実施形態１に係る面光源装置１の断面図である。導光板１０は、導光板１０の側面の一部であり、光が入射する入光面１０Ａを有する。導光板１０は、入光面１０Ａから入射する光を出射する出光面１０Ｂを有し、導光板１０の出光面１０Ｂは、表示パネル２と対向している。また、導光板１０の出光面１０Ｂを導光板１０の上面とし、導光板１０の出光面１０Ｂの反対側の面（反対面）を導光板１０の下面としてもよい。
【００２６】
光源１３は、光を出射する出射面１３Ａを有している。導光板１０の入光面１０Ａが向いている方向と、光源１３の出射面１３Ａが向いている方向とが直交している。光源１３は、基板２１と、基板２１上に設置された一つ又は複数の発光素子２２と、発光素子２２を覆う波長変換部材２３とを有する。基板２１は、例えば、プリント基板である。発光素子２２は、例えば、ＬＥＤチップである。発光素子２２は、特定の波長の光を出射する。波長変換部材２３は、発光素子２２が出射した光の波長を変換する。すなわち、波長変換部材２３は、発光素子２２から出射された光の色を変換する。波長変換部材２３は、蛍光体を含む透光性樹脂（樹脂層）である。例えば、発光素子２２が青色の光を出射し、波長変換部材２３が黄色の蛍光体を含む場合、青色の光の一部が蛍光体に当たることにより、青色と黄色とが混色されて、光源１３の出射面１３Ａから白色の光が出射される。
【００２７】
フレーム１２には、光を反射する反射部材３１が設けられている。反射部材３１は、導光板１０の入光面１０Ａの法線方向に配置されている。また、反射部材３１は、光源１３の波長変換部材２３と離れて配置されている。反射部材３１は、発光素子２２からの光を導光板１０の入光面１０Ａ側に反射して光の進行方向を変更可能である。反射部材３１は
、光を反射する反射面を有しており、反射部材３１の反射面の一部又は全部が凹の曲面であり、凹の曲面が導光板１０の入光面１０Ａに向いている。反射部材３１は、紙面の垂直方向において同一形状である。反射部材３１の断面は、円弧又は楕円弧であってもよい。反射部材３１の反射面の一部が曲面であり、反射部材３１の反射面の他の一部が平面であってもよい。反射部材３１の反射面は、光源１３からの光を鏡面反射するように処理されている。反射部材３１の反射面を鏡面反射とすることにより、光源１３から出射される光の利用効率を高い状態に維持することができ、導光板１０から出射される光の輝度を高い状態に保つことができる。例えば、フレーム１２に対してＡｌ（アルミニウム）やＡｇ（銀）等の金属膜を蒸着形成することにより、フレーム１２に反射部材３１を設けてもよい。
【００２８】
導光板１０の入光面１０Ａには、光源１３から出射されて反射部材３１の反射面で反射した光が入射するとともに、光源１３から出射された光が直接入射する。すなわち、発光素子２２から出射され、波長変換部材２３を通って反射部材３１の反射面で反射した光が導光板１０の入光面１０Ａに入射するとともに、発光素子２２から出射され、波長変換部材２３を通った光が導光板１０の入光面１０Ａに直接入射する。
【００２９】
図４に示すように、反射部材３１の断面が円弧である場合、反射部材３１の半径を光源１３の厚み（出射面１３Ａの幅）以上とすることで、反射部材３１の反射面の法線（図４の点線）は、光源１３の出射面１３Ａと交差せず、光源１３の端部又はそれよりも導光板１０側を通る。また、図５に示すように、反射部材３１の断面が楕円弧である場合、反射部材３１の反射面の法線（図５の点線）は、光源１３の出射面１３Ａと交差せず、光源１３よりも導光板１０側を通るようにすることができる。すなわち、反射部材３１の反射面の法線が、導光板１０側であって光源１３の出射面１３Ａを含む平面と交差することで、反射部材３１の反射面の法線は、光源１３の出射面１３Ａと交差しないようになる。そうすれば、光源１３から出射されて反射部材３１の反射面で反射する光は、導光板１０の入光面１０Ａに到達する。したがって、光源１３から出射される光の利用効率を高い状態に維持することができ、導光板１０から出射される光の輝度を高い状態に保つことができる。
【００３０】
反射部材３１の反射面の全ての法線に対する導光板１０の出光面１０Ｂの反対面を通る法線の割合が１００％である場合、光源１３から出射されて反射部材３１の反射面で反射する光のうち導光板１０の入光面１０Ａに到達する光は高い割合になる。また、反射部材３１の反射面の全ての法線又は大部分の法線が、光源１３の出射面１３Ａを含む平面であって導光板１０の入光面１０Ａよりも導光板１０側に延長された領域を通る場合、光源１３から出射されて反射部材３１の反射面で反射する光のうち導光板１０の入光面１０Ａに到達する光は高い割合になる。これらの場合、反射部材３１の反射面の反射率を１００％とすることにより、光源１３から出射されて反射部材３１の反射面で反射する光のうち導光板１０の入光面１０Ａに到達する光は略１００％になる。
【００３１】
外部から面光源装置１に荷重がかかった際に、光源１３の位置が導光板１０側にずれて、導光板１０の下面（出光面１０Ｂの反対面）と光源１３の出射面１３Ａとが光源１３の出射方向から見て重なってしまう場合がある。光源１３の光が導光板１０の下面（出光面１０Ｂの反対面）から入射すると、表示パネル２の画面内において不均一に明るい輝点（ホットスポット）が発生する可能性がある。光源１３の位置ずれを考慮して、図６に示すように、光源１３が導光板１０から離れるように、光源１３を配置してもよい。図６に示す面光源装置１の一例では、光源１３の出射面１３Ａの法線方向から見て、導光板１０と光源１３とが離れている。導光板１０と光源１３とを予め離すことにより、光源１３の位置ずれが発生して、導光板１０と光源１３とが近づいても、導光板１０の下面（出光面１０Ｂの反対面）と光源１３の出射面１３Ａとが光源１３の出射面１３Ａの法線方向から見
て重なることが抑止される。
【００３２】
光源１３の位置ずれを考慮して、図７に示すように、光源１３の一部が導光板１０の入光面１０Ａと重なるように、光源１３を配置してもよい。図７に示す面光源装置１の一例では、導光板１０の入光面１０Ａの法線方向から見て、光源１３の一部が導光板１０の入光面１０Ａと重なっている。光源１３の一部が導光板１０の入光面１０Ａ上に位置することにより、光源１３の位置がずれることが抑止され、導光板１０の下面（出光面１０Ｂの反対面）と光源１３の出射面１３Ａとが光源１３の出射面１３Ａの法線方向から見て重なることが抑止される。
【００３３】
光源１３の位置ずれを考慮して、図８に示すように、光源１３の一部が導光板１０の入光面１０Ａと重なるように、光源１３を配置してもよい。図８に示す面光源装置１の一例では、導光板１０の入光面１０Ａの法線方向から見て、光源１３の一部が導光板１０の入光面１０Ａと重なっている。図８に示すように、導光板１０の出光面１０Ｂの反対面と光源１３の出射面１３Ａとが同一平面上に位置している。また、導光板１０の入光面１０Ａの法線方向から見て、導光板１０のうち光源１３と重なっている部分１０Ｃが、テーパー形状となっている。光源１３の一部が導光板１０の入光面１０Ａ上に位置することにより、光源１３の位置がずれることが抑止され、導光板１０の下面（出光面１０Ｂの反対面）と光源１３の出射面１３Ａとが光源１３の出射面１３Ａの法線方向から見て重なることが抑止される。
【００３４】
実施形態１に係る面光源装置１によれば、光源１３からの光を反射する反射部材３１を、導光板１０の入光面１０Ａの法線方向に配置することで、導光板１０と光源１３とをＬ字型に配置することができる。そのため、導光板１０及び光源１３を直線上に配置する場合と比較して、面光源装置１の狭額縁化を促進することができる。
【００３５】
図９は、実施形態１に係る面光源装置１と、導光板１０及び光源１３を直線上に配置する場合の面光源装置１００との比較図である。図９の（Ａ）には、実施形態１に係る面光源装置１から出射される光の輝度分布が示されており、輝度が均一化されている部分から面光源装置１の外形までの長さをＬ１としている。図９の（Ｂ）には、面光源装置１００から出射される光の輝度分布が示されており、輝度が均一化されている部分から面光源装置１００の外形までの長さをＬ２としている。実施形態１に係る面光源装置１によれば、Ｌ１をＬ２の４６％程度に縮小することができる。
【００３６】
図１０は、実施形態１に係る面光源装置１の説明図である。図１０の（Ａ）は、面光源装置１の断面を示し、図１０の（Ａ）の一点鎖線Ｄ１は、導光板１０の光軸を示し、図１０の（Ａ）の一点鎖線Ｄ２は、光源１３の光軸を示している。図１０の（Ａ）のθは、導光板１０の光軸と光源１３の光軸とでなす角度である。図１０の（Ｂ）の縦軸は、導光板１０の入光面１０Ａに入射する光量（％）を示し、図１０の（Ｂ）の横軸は、導光板１０の光軸と光源１３の光軸とでなす角度（θ）を示している。
【００３７】
図１０の（Ｂ）の実線Ｓ１は、反射部材３１の反射面の反射率が１００％である場合の全体光量（％）であり、図１０の（Ｂ）の実線Ｓ２は、反射部材３１の反射面の反射率が９０％である場合の全体光量（％）である。全体光量（％）は、導光板１０の入光面１０Ａに入射する光量を光源１３から出射された光量で除した値である。図１０の（Ｂ）の実線Ｓ３は、光源１３から導光板１０の入光面１０Ａに直接入射する光量（以下、「直接入射光量」と表記する。）を光源１３から出射された光量で除した値である。図１０の（Ｂ）に示すように、導光板１０の光軸と光源１３の光軸とでなす角度（θ）が大きくなるにつれて、光源１３から導光板１０の入光面１０Ａに直接入射する光量が減少する。
【００３８】
図３〜図８に示す面光源装置１の構成例では、導光板１０の光軸と光源１３の光軸とでなす角度（θ）が９０度である。図３〜図８に示す面光源装置１の構成例に限定されず、実施形態１に係る面光源装置１では、導光板１０の光軸と光源１３の光軸とでなす角度（θ）を任意の角度に設定することができる。導光板１０の光軸と光源１３の光軸とでなす角度（θ）を９０度に設定する場合、光源１３から出射された光量に対する直接入射光量の割合は２０％以上になる。導光板１０の光軸と光源１３の光軸とでなす角度（θ）を６０度に設定する場合、光源１３から出射された光量に対する直接入射光量の割合は４０％以上になる。例えば、光源１３から出射された光量に対する直接入射光量の割合が２０％以上４０％以下になるように、導光板１０の光軸と光源１３の光軸とでなす角度（θ）を設定してもよい。導光板１０の光軸と光源１３の光軸とでなす角度（θ）を１２０度に設定する場合、光源１３から出射された光量に対する直接入射光量の割合は１０％以上になる。導光板１０の光軸と光源１３の光軸とでなす角度（θ）を２０度に設定する場合、光源１３から出射された光量に対する直接入射光量の割合は８０％以上になる。例えば、光源１３から出射された光量に対する直接入射光量の割合が１０％以上８０％以下になるように、導光板１０の光軸と光源１３の光軸とでなす角度（θ）を設定してもよい。
【００３９】
図１１は、実施形態１に係る面光源装置１の説明図である。図１１の（Ａ）は、面光源装置１の断面を示している。図１１の（Ｂ）の縦軸は、導光板１０の入光面１０Ａに入射する光の伝達効率を示している。導光板１０の入光面１０Ａに入射する光の伝達効率は、導光板１０の入光面１０Ａに入射する光量のうち反射部材３１の反射面で反射して導光板１０の入光面１０Ａに入射する光量の割合である。図１１の（Ｂ）の横軸は、反射部材３１の反射面の全ての法線のうち図１１の（Ａ）の領域４０を通る法線の割合を示している。図１１の（Ａ）の領域４０は、光源１３の出射面１３Ａを通る平面において光源１３の開口１３Ｂよりも導光板１０側に位置する領域である。図１１の（Ｂ）に示すように、反射部材３１の反射面の全ての法線のうち図１１の（Ａ）の領域４０を通る法線の割合が６５％を超え、かつ、反射部材３１の反射面の反射率が１００％の場合、導光板１０の入光面１０Ａに入射する光の伝達効率が９０％以上になる。
【００４０】
図１２は、実施形態１に係る面光源装置１の説明図である。図１２の（Ａ）は、面光源装置１の断面を示している。図１２の（Ｂ）の縦軸は、導光板１０の入光面１０Ａに入射する光の伝達効率を示している。図１２の（Ｂ）の横軸は、反射部材３１の反射面の全ての法線のうち図１２の（Ｂ）の領域５０を通る法線の割合を示している。図１２の（Ａ）の領域５０は、光源１０の出射面１３Ａを通る平面において光源１３の中心線１３Ｃよりも導光板１０側に位置する領域である。図１２の（Ｂ）に示すように、反射部材３１の反射面の全ての法線のうち図１２の（Ａ）の領域５０を通る法線の割合が８４％を超え、かつ、反射部材３１の反射面の反射率が１００％の場合、導光板１０の入光面１０Ａに入射する光の伝達効率が９０％以上になる。
【００４１】
〔実施形態２〕
図１３及び図１４を参照して、実施形態２に係る液晶表示装置について説明する。図１３は、実施形態２に係る面光源装置１の断面図である。なお、実施形態１と同一の構成要素については、実施形態１と同一の符号を付し、その説明を省略する。図１３に示すように、光源１３は、基板２１と、基板２１上に設置された一つ又は複数の発光素子２２と、発光素子２２を覆う波長変換部材２３と、波長変換部材２３の一部を覆う反射部材３１とを有する。
【００４２】
反射部材３１は、導光板１０の入光面１０Ａの法線方向に配置されている。反射部材３１は、発光素子２２からの光を導光板１０の入光面１０Ａ側に反射して光の進行方向を変更可能である。反射部材３１は、光を反射する反射面を有しており、反射部材３１の反射面の一部又は全部が凹の曲面であり、凹の曲面が導光板１０の入光面１０Ａに向いている
。波長変換部材２３と反射部材３１の反射面とが接触している。反射部材３１の断面は、円弧又は楕円弧であってもよい。反射部材３１の反射面の一部が曲面であり、反射部材３１の反射面の他の一部が平面であってもよい。反射部材３１の反射面は、発光素子２２からの光を鏡面反射するように処理されている。例えば、波長変換部材２３に対してＡｌやＡｇ等の金属膜を蒸着形成することにより、波長変換部材２３に反射部材３１を設けてもよい。また、反射部材３１のうち波長変換部材２３と接触していない部分を樹脂等で覆うようにしてもよい。
【００４３】
光源１３は、導光板１０の入光面１０Ａと対向する出射面１３Ｂを有する。光源１３の反射部材３１は、光源１３の出射面１３Ｂと対峙するように配置されている。したがって、光源１３の反射部材３１は、光源１３の出射面１３Ｂの法線方向の反対方向に配置されている。導光板１０の入光面１０Ａには、光源１３の出射面１３Ｂから出射される光が入射する。発光素子２２から出射され、波長変換部材２３を通って反射部材３１の反射面で反射する光と、発光素子２２から出射され、波長変換部材２３を通る光とが、光源１３の出射面１３Ｂから出射される。したがって、導光板１０の入光面１０Ａには、発光素子２２から出射され、波長変換部材２３を通って反射部材３１の反射面で反射する光が入射するとともに、発光素子２２から出射され、波長変換部材２３を通る光が直接入射する。図１４は、実施形態２に係る光源１３の斜視図である。図１４に示すように、反射部材３１は半ドーム形状である。したがって、反射部材３１の中央部分及び両端部分の反射面が曲面になっている。
【００４４】
実施形態２に係る面光源装置１によれば、発光素子２２からの光を反射する反射部材３１を、導光板１０の入光面１０Ａの法線方向に配置することで、導光板１０と光源１３とをＬ字型に配置することができる。そのため、導光板１０及び光源１３を直線上に配置する場合と比較して、面光源装置１の狭額縁化を促進することができる。実施形態２に係る面光源装置１及び光源１３によれば、発光素子２２から出射された全ての光が波長変換部材２３を通って光源１３の出射面１３Ｂから出射される。したがって、光源１３の出射面１３Ｂ内の色分布が抑えられ、導光板１０の入光面１０Ａ近傍における光の色ムラが削減できる。
【００４５】
実施形態２に係る面光源装置１によれば、フレーム１２を省略することができるので、面光源装置１の狭額縁化をより促進することができる。実施形態２に係る面光源装置１によれば、波長変換部材２３と反射部材３１の反射面とが接触しているので、反射部材３１の反射面が空気に触れることが抑止される。そのため、反射部材３１の反射面の表面酸化が抑止される。実施形態２に係る面光源装置１によれば、光源１３と反射部材３１とが一体となっているため、面光源装置１の部品点数が減る。実施形態２に係る面光源装置１によれば、発光素子２２から出射され、波長変換部材２３を通って反射部材３１の反射面で反射する光は、波長変換部材２３の内部で折り返している。したがって、発光素子２２から出射される光の波長（色）を変換するための距離が長くなる。実施形態２に係る面光源装置１によれば、光源１３と反射部材３１とが一体となり、波長変換部材２３と反射部材３１の反射面とが接触している。したがって、光源１３における導光板１０の下面よりも突出する突出量が減り、面光源装置１が薄くなる。
【００４６】
図１５は、実施形態１、２に係る面光源装置１の相対輝度効率と、反射部材３１の反射面を平面とする場合の面光源装置の相対輝度効率とを示すグラフである。図１５の縦軸は、実施形態１、２に係る面光源装置１から出射される光の相対輝度効率と、反射部材３１の反射面を斜面とする場合の面光源装置から出射される光の相対輝度効率とを示している。図１５の縦軸に示す相対輝度効率は、導光板１０及び光源１３を直線上に配置する場合の面光源装置１００から出射される光の輝度を基準としている。図１５に示すように、実施形態１、２に係る面光源装置１から出射される光の相対輝度効率は、反射部材３１の反
射面を斜面とする場合の面光源装置から出射される光の相対輝度効率と比較して、輝度効率が大幅に向上している。
【００４７】
更に、このような表示装置は、各種の電子機器に搭載することができる。このような表示装置を備えた電子機器として、スマートフォン、デジタルカメラ、タブレット端末、電子ブック、ウェアラブル機器、カーナビゲーション装置、電子辞書、電子広告板等を例示できる。このような電子機器は、小型化、薄型化が可能な上に、優れた品質の表示を提供することが期待できる。
【符号の説明】
【００４８】
１  面光源装置
２  表示パネル
１０  導光板
１１  反射シート
１２  フレーム
１３  光源
１４  フレキシブル基板
１５  拡散シート
１６  プリズムシート
１７  遮光両面テープ
２１  基板
２２  発光素子
２３  波長変換部材
３１  反射部材
【図１】
0006707921.tif 000002
【図２】
0006707921.tif 000003
【図３】
0006707921.tif 000004
【図４】
0006707921.tif 000005
【図５】
0006707921.tif 000006
【図６】
0006707921.tif 000007
【図７】
0006707921.tif 000008
【図８】
0006707921.tif 000009
【図９】
0006707921.tif 000010
【図１０】
0006707921.tif 000011
【図１１】
0006707921.tif 000012
【図１２】
0006707921.tif 000013
【図１３】
0006707921.tif 000014
【図１４】
0006707921.tif 000015
【図１５】
0006707921.tif 000016